(57)【要約】【課題】文字板の照明がより適正になされる指針式時計を提供すること。【解決手段】  導光板に入射した発光ダイオードが発した光が、乱反射手段により乱反射して導光板の正面に放射される文字板照明装置において、導光板の中心に、全周が面取りされた面取り部を有する通孔を設け、指針軸を貫通させた固定ネジで前枠に固定する。  発光ダイオードは、指針軸近傍に複数個設け、固定ネジは導光板の通孔の面取り部と対向する対向部を有し、鍔部は発光ダイオードの正面を遮蔽するようにした。【選択図】図２
2013029336.tif 000002
【特許請求の範囲】
【請求項１】
プレート状の導光体からなる導光板と、
前記導光板に光を入射する発光ダイオードとを備え、
前記導光板に入射した発光ダイオードが発した光が、前記導光板の裏面に設けられた乱反射手段により乱反射して前記導光板の正面に放射される文字板照明装置において、
前記導光板は、中心に全周が面取りされた面取り部を有する通孔を設け、前枠の前面に配置されたものであり、
前記発光ダイオードは、回路基板上に複数個設けられ、当該回路基板は前記前板の背面に配置されたものであり、筒部を備えた固定ネジによって、前記通孔から前記導光板と、前記回路基板が前記前枠に固定されるものであって、
前記固定ネジは、鍔部と、前記面取り部と対向する対向部を有するもので、前記鍔部は、前記発光ダイオードの正面を遮蔽することを特徴とする文字板照明時計。
【発明の詳細な説明】
【技術分野】
【０００１】
本発明は、文字板を照明する指針式時計に関するものである。
【背景技術】
【０００２】
文字板を照明する装置として、特許文献１には光源を文字板の外側の見返し部に配し、文字板の内側に向けて光を乱反射させる時計が開示されている。  また、特許文献２には光源を指針の回転中心近傍に配置した時計も開示されている。
【先行技術文献】
【特許文献】
【０００３】
【特許文献１】特開平７−２０９４４１号公報
【特許文献２】特開２０１１−９５１９０号公報
【発明の概要】
【発明が解決しようとする課題】
【０００４】
従来、この種の文字板を照明する装置は、光源を文字板の外側の見返し部に配した場合においては、光源の大きさの分、見返し部を大きくする必要があり、見返し部の薄い時計を設計するのが困難であった。  また、光源を指針の回転中心近傍に配置した場合は、直接文字板正面に光が放射され、特に光源正面部分だけが明るくなるといった文字板の照度むらが発生する。  これを防ぐために光源正面部分に遮光板を設けると光量の損失が生じるといった問題があった。
【０００５】
本発明は、かかる事情に鑑みてなされたものであり、その目的は、文字板の照明がより適正になされる指針式時計を提供することである。
【課題を解決するための手段】
【０００６】
本願第１請求項に記載した発明は、プレート状の導光体からなる導光板と、前記導光板に光を入射する発光ダイオードとを備え、前記導光板に入射した発光ダイオードが発した光が、前記導光板の裏面に設けられた乱反射手段により乱反射して前記導光板の正面に放射される文字板照明装置において、前記導光板は、中心に全周が面取りされた面取り部を有する通孔を設け、前枠の前面に配置されたものであり、前記発光ダイオードは、回路基板上に複数個設けられ、当該回路基板は前記前板の背面に配置されたものであり、筒部を備えた固定ネジによって、前記通孔から前記導光板と、前記回路基板が前記前枠に固定されるものであって、前記固定ネジは、鍔部と、前記面取り部と対向する対向部を有するもので、前記鍔部は、前記発光ダイオードの正面を遮蔽することを特徴とする文字板照明時計である。
【発明の効果】
【０００７】
本発明によれば、文字板の照明がより適正になされる指針式時計を得ることができる。
【図面の簡単な説明】
【０００８】
【図１】本発明の実施例に係り、文字板照明装置を備えた時計の側面断面図である
【図２】本発明の実施例に係り、文字板照明装置を備えた時計の側面断面図の部分拡大図である
【図３】本発明の実施例に係り、文字板照明装置を備えた時計の正面概略透視図である
【図４】本発明の実施例に係り、導光板を示す説明図である
【図５】本発明の実施例に係り、切欠部の形状と発光ダイオードの位置関係を示す説明図である
【発明を実施するための形態】
【０００９】
以下に、本発明の実施例を図１乃至図５に基づいて説明する。  図１に示す時計１は、アナログ時計である。  この時計１は、文字板を照明する文字板照明装置１００と、文字板の正面に配置された指針１１，１２，１３と、指針１１，１２，１３を駆動するムーブメント２０を備えており、これらは筐体３０に収納されている。  文字板は導光板２００に指標２０１を設けてなるものであり、筐体３０の正面に設けられた透明カバー３３で覆われている。
【００１０】
指針は、時針１１、分針１２、秒針１３を備えており、ムーブメント２０の前面から突出された指針軸２１に指針１１，１２，１３が取り付けられたものとなっている。
【００１１】
導光板２００は、固定ネジ３００を装着するための通孔２０２が中央に設けられている。  この通孔２０２は全周が面取りされた面取り部２０３を有している。  面取り部２０３は具体的には導光板２００の厚さの２／３乃至１／３を残して前面側を３０度乃至６０度の角度で面取りしたものである。
【００１２】
導光板２００の背面側には乱反射手段が設けられ、入射した光が乱反射して正面に放射される。  乱反射手段は、導光板２００の背面側に凸状の反射ドット２０４を分布したものであって、射出成型により導光板２００と一体に成型、若しくは印刷によりなされた円錐型の微細凸部であるが、白色のインキによる凸部を形成しない印刷であってもよい。  また、前面には指標２０１が印刷され、文字板を形成している。
【００１３】
本例の場合、反射ドット２０４は導光板２００の裏面の略全体に分布されており、乱反射する光が比較的強い部位では反射ドット２０４の占める面積を疎に設計するとともに、乱反射する光が比較的弱い部位では反射ドット２０４の占める面積を密に設計している。  このようにすると導光板２００の正面に放射される光が均一化される。なお、乱反射する光が比較的強い部位では反射ドット２０４を小さく設計するとともに、乱反射する光が比較的弱い部位では反射ドット２０４を大きく設計してもよい。
【００１４】
固定ネジ３００は、内側に指針軸２１を貫通させるための筒部３０３を有するものであり、片側端部には鍔部３０１が設けられている。一般的に時計の文字板は、正面から観察して指針軸を通す穴が目立ち、外観的に好ましくない場合は、このような固定ネジにより指針軸を通す穴の前面を鍔部で装飾するとともに、文字板を前板に固定し、筒部より指針軸を突出させる方法が見受けられる。  なお、前枠３１とは、ムーブメントと導光板２００を取り付ける筐体３０の部位である。
【００１５】
また、固定ネジ３００の鍔部３０１から筒部３０３にかけては、導光板２００の通孔２０２に設けられた面取り部２０３と対向する対向部３０２を有している。  具体的には、導光板２００を前枠３１に取り付けた際に、密接若しくは略均一なクリアランスを以って向き合う形状となっている。
【００１６】
固定ネジ３００は、鍔部３０１の他方側から導光板２００の通孔２０２に挿入し、装着させることにより、鍔部３０１によって導光板２００は前枠３１に押さえつけられ、前枠３１に固定される。  さらに、前枠３１の背面に突き抜けた固定ネジ３００の部位によって、発光ダイオード４００が実装された回路基板４０１が前枠３１に固定される。  なお、ムーブメント２０に指針軸２１を取り囲む壁面を設け、当該壁面も回路基板４０１とあわせて固定ねじ３００によって前枠３１に固定するようにしてもよい。  固定ネジ３００の筒部３０３を貫通し、導光板２００の前面に露出した指針軸２１には、指針１１，１２，１３が取り付けられている。
【００１７】
光源たる発光ダイオード４００は、前述のとおり回路基板４０１に複数設けられたものであるが、本例では、ムーブメント２０から突出する指針軸２１近傍の位置に、指針軸を取り囲む形状で略等間隔に３個配置されている。  指針軸２１近傍の位置とは、具体的には物品正面から観察して固定ネジ３００の鍔部３０１に隠れる位置である。  なお、発光ダイオード４００の個数は複数個であれば３個でなくてもよい。  また、前枠３１の、発光ダイオード４００が位置する部位は、前枠３１の前面に発光ダイオード４００が露出されるよう指針軸側から切り欠かれ、切欠部３２を形成している。
【００１８】
このような構成にすると、発光ダイオード４００の発した光は、周囲を切欠部３２に妨げられ、固定ネジ３００の筒部３０２に並行して前方に照射され、導光板２００に入射される。  導光板２００に入射された光は、通孔２０２の全周に設けられた面取り部２０３により導光板２００の外周方向に反射される。  発光ダイオード４００の前方は固定ネジ３００の鍔部３０１が位置するため、直接、正面に発した光が抜けることはない。
【００１９】
導光板２００に入射された光がより外周に向けて反射させ、文字板の明るさを均一化させるためには、面取り部２０３は、前面側を４５度の角度で面取りすることが望ましい。  また、導光板２００の厚さの１／３を残して面取りすることが望ましい。  これは、固定ネジ３００を締める際の力で導光板２００の破損を防止するためである。
【００２０】
以上説明したように、本願の文字板照明時計１は、導光板たる文字板の照明がより適正になされることにより、その文字板の明るさを均一化するという効果を達成したものである。  本例における各部の構成は、特許請求の範囲に記載した技術的範囲において設計可能であり、例えば、導光板２００と前枠３１との間に白色のシートを挟み、反射効率を良くすることや、当該シートに指標や模様を印刷するといったことも可能である。
【産業上の利用可能性】
【００２１】
本発明の文字板照明時計は、指針式の掛け時計や置時計の文字板を照明する装置として好適に利用することが可能である。
【符号の説明】
【００２２】
１  時計
１１  時針
１２  分針
１３  秒針
２０  ムーブメント
２１  指針軸
３０  筐体
３１  前枠
３２  切欠部
３３  透明カバー
１００  文字板照明装置
２００  導光板
２０１  指標
２０２  通孔
２０３  面取り部
２０４  反射ドット
３００  固定ネジ
３０１  鍔部
３０２  対向部
３０３  筒部
４００  発光ダイオード
４０１  回路基板
【図１】
2013029336.tif 000003
【図２】
2013029336.tif 000004
【図３】
2013029336.tif 000005
【図４】
2013029336.tif 000006
【図５】
2013029336.tif 000007